(57)【要約】【課題】携帯端末が有する機能を補助する。【解決手段】携帯端末が有する音声出力機能および撮影機能を補助するリモコン端末１００は、ＣＰＵ１１０と、スピーカ１４０と、フラッシュライト１４４と、携帯端末から信号を受信する通信ＩＦ１５０とを含み、音声出力機能を補助する場合には、ＣＰＵ１１０は、受信した音声信号からモノラル音声を取得して、スピーカ１４０にそのモノラル音声信号を出力させ、撮影機能を補助する場合には、ＣＰＵ１１０は、撮影に関する信号を受信すると、リモコン端末１００に接続された端末による撮影タイミングに対応してフラッシュライト１４４を発光させる。【選択図】        図２
2004165815.tif 000002
【特許請求の範囲】
【請求項１】
携帯端末に接続されて前記携帯端末が有する機能を補助する端末装置であって、
通信回線を介して前記携帯端末に接続され、前記携帯端末から信号を受信するための受信手段と、
前記受信手段に接続され、前記受信された信号から前記機能に関する信号を取得するための取得手段と、
前記取得手段に接続され、前記機能を補助する処理を実行するための実行手段と、
前記取得手段および前記実行手段に接続され、前記取得された信号に基づいて前記処理を実行するように、前記実行手段を制御するための制御手段とを含む、端末装置。
【請求項２】
前記携帯端末は、外部から受信する制御信号に基づいて前記機能の設定を切り換えることが可能な携帯端末であって、
前記端末装置は、
利用者が指示を入力するための入力手段と、
前記入力手段に接続され、前記入力された指示に基づいて前記制御信号を生成するための生成手段と、
前記生成手段および前記通信回線に接続され、前記制御信号を前記携帯端末に送信するための送信手段とをさらに含む、請求項１に記載の端末装置。
【請求項３】
前記携帯端末はステレオ音声を再生することができる携帯端末であって、前記携帯端末は１つのスピーカを含み、
前記制御信号は、前記音声出力手段から出力される音声のチャネルを指定する信号および前記端末装置が出力する音声のチャネルを指定する信号のいずれかである、請求項２に記載の端末装置。
【請求項４】
前記携帯端末はステレオ音声を再生することができる携帯端末であり、前記携帯端末が有する機能は１つのスピーカから音声を出力する機能であって、
前記受信手段は、前記携帯端末から音声信号を受信するための手段を含み、
前記取得手段は、前記スピーカから出力される第１のチャネルの音声と異なる第２のチャネルの音声を取得するための音声取得手段を含み、
前記実行手段は、音声を出力する処理を実行するための手段を含み、
前記制御手段は、前記第２のチャネルの音声を出力するように、前記音声出力手段を制御するための手段を含む、請求項１〜３のいずれかに記載の端末装置。
【請求項５】
前記携帯端末が出力する音声信号はデジタルオーディオ信号であって、
前記音声取得手段は、前記デジタルオーディオ信号に含まれるデータに基づいて、前記第２のチャネルの音声を取得するための手段を含む、請求項４に記載の端末装置。
【請求項６】
前記携帯端末が有する機能は撮影機能であって、
前記受信手段は、前記携帯端末による撮影が実行されるときに、前記撮影に関する信号を受信するための手段を含み、
前記取得手段は、前記撮影に関する信号から、前記撮影に対応した発光指示の信号を取得するための手段を含み、
前記実行手段は、発光する処理を実行するための発光手段を含み、
前記制御手段は、前記発光指示の信号を受信すると前記発光する処理を実行するように、前記発光手段を制御するための手段を含む、請求項１または２に記載の端末装置。
【発明の詳細な説明】
【０００１】
【発明の属する技術分野】
本発明は、携帯端末に接続されて、その携帯端末が有する機能を補助する端末装置に関し、特に、音声の出力機能を有する携帯端末から出力される音声をステレオ音声とする端末装置およびカメラ機能を有する携帯端末による撮影時に対応して発光する端末装置に関する。
【０００２】
【従来の技術】
携帯電話あるいはＰＤＡ（Ｐｅｒｓｏｎａｌ  Ｄｉｇｉｔａｌ  Ａｓｓｉｓｔａｎｔ）をはじめとする携帯端末の普及に伴い、ユーザニーズに対応するための機能が追加されている。この機能には、たとえば音楽再生機能、撮影機能などがある。
【０００３】
しかし、携帯端末はその携帯性を確保するため、その携帯端末が有する機能は制約をうけることが多い。たとえば、音楽再生機能を有する携帯端末は１つのスピーカしか備えないため、ステレオ音声信号のデータを記憶していても、ステレオ音声として出力することができない。また、カメラ機能を有する携帯電話の場合、光量が不足した被写体の撮影を余儀なくされる場合がある。
【０００４】
特開２００２−５７７６８号公報（特許文献１）は、ステレオ音声の出力を可能にする携帯電話を開示する。この携帯電話は、筐体のそれぞれの端側に同一方向に向くように位置される第１および第２の音声出力回路（スピーカ）と、音声データを再生して第１および第２の音声出力回路から音声を出力する再生回路とを含む。
【０００５】
この公報に開示された携帯電話によると、再生回路は、筐体のそれぞれの端側に配置された第１および第２のスピーカから音声を出力するため、ステレオ音声を出力することが可能になる。
【０００６】
特開２００１−３２０６２２号公報（特許文献２）は、カメラ付き携帯電話を開示する。この携帯電話は、フラッシュライトと、レリーズ回路と、レリーズ操作に基づいてフラッシュライトを発光させるための回路とを含む。
【０００７】
この公報に開示されたカメラ付き携帯電話によると、被写体をフラッシュライトにより照射することが可能になるため、暗部においても被写体を明瞭に撮影することができる。
【０００８】
【特許文献１】
特開２００２−５７７６８号公報（第２頁、第３図）
【０００９】
【特許文献２】
特開２００１−３２０６２２号公報（第２項、第１図）
【００１０】
【発明が解決しようとする課題】
しかしながら、特開２００２−５７７６８号公報に開示された携帯電話によると、出力されるステレオ音声は、携帯電話に設けられたスピーカの位置および方向の制約をうけるため、ステレオ音声の音響特性（たとえば立体感）に限界があるという問題があった。
【００１１】
また、特開２００１−３２０６２２号公報に開示されたカメラ付き携帯電話によると、被写体までの距離が遠くなるとフラッシュライトが被写体に十分照射されなくなり光量が不足するため、適切な光量の下での撮影が困難になるという問題があった。
【００１２】
本発明は、上述の課題を解決するためになされたものであって、その目的は、携帯端末が再生する音声をステレオ音声として出力する端末装置および携帯端末による撮影時に光量不足を補うことができる端末装置を提供することである。
【００１３】
【課題を解決するための手段】
第１の発明に係る端末装置は、通信回線を介して携帯端末に接続され、携帯端末から信号を受信するための受信手段と、受信手段に接続され、受信された信号から携帯端末が有する機能に関する信号を取得するための取得手段と、取得手段に接続され、機能を補助する処理を実行するための実行手段と、取得手段および実行手段に接続され、取得された信号に基づいて処理を実行するように、実行手段を制御するための制御手段とを含む。
【００１４】
第１の発明によると、端末装置は携帯端末が有する機能の実行を補助する。この機能には、たとえば音声を出力する機能あるいは撮影する機能がある。この端末装置が携帯端末から信号を受信すると、取得手段は、その機能に関する信号（たとえば、音声のチャネルを表わす信号、スピーカに出力させたい音声信号、撮影信号など）を取得する。たとえば、モノラル音声信号を受信すると、その信号が取得される。また、携帯端末にて出力される音声のチャネル（たとえば、右チャネル）を表わす信号を含むデジタル信号を取得すると、そのチャネルと異なる音声のチャネル（すなわち左チャネル）の音声信号が取得される。あるいは、フラッシュライトを使用する撮影の信号を受信すると、取得手段は、発光の指示信号を取得する。実行手段は、携帯端末が有する機能を補助する処理（たとえば、音声の出力、フラッシュライトの発光など）を実行する。制御手段は、取得された信号に基づいて処理を実行するように、実行手段を制御する。たとえば、音声（モノラル音声または左チャネルの音声）の信号が取得されたとき、実行手段は、その音声を出力する。あるいは、フラッシュライトの発光を指示する信号が取得されると、フラッシュライトが発光する。このようにして、携帯端末が有する機能を補助するための処理が実行される。これにより、携帯端末が再生する音声をステレオ音声として出力する端末装置および携帯端末による撮影時に光量不足を補うことができる端末装置を提供することができる。
【００１５】
第２の発明に係る端末装置は、第１の発明の構成に加えて、利用者が指示を入力するための入力手段と、入力手段に接続され、入力された指示に基づいて制御信号を生成するための生成手段と、生成手段および通信回線に接続され、制御信号を携帯端末に送信するための送信手段とをさらに含む。
【００１６】
第２の発明によると、端末装置が接続される携帯端末は、外部から受信する制御信号に基づいて、その携帯端末が有する機能の設定を切り換えることができる。この設定は、たとえば携帯端末から出力される音声のチャネル（右チャネル、左チャネルなど）の設定、撮影にフラッシュライトを使用する設定等である。利用者が端末装置に指示（たとえば、音声の出力チャネルを指定する指示、フラッシュライトを使用して撮影する指示）を入力すると、その指示に基づく制御信号が生成され、携帯端末に送信される。このようにすると、端末装置から携帯端末の機能を設定することができるようになり、携帯端末の利便性を向上させることができる。
【００１７】
第３の発明に係る端末装置は、第２の発明の構成に加えて、制御信号は、音声出力手段から出力される音声のチャネルを指定する信号および端末装置が出力する音声のチャネルを指定する信号のいずれかである。
【００１８】
第３の発明によると、携帯端末が出力する音声のチャネルを指定する信号および端末装置が出力する音声のチャネルを指定する信号のいずれかが制御信号として生成され、端末装置から携帯端末に送信される。これにより、携帯端末および端末装置からそれぞれ異なる音声のチャネルを出力することができるため、ステレオ音声の出力が可能になる。
【００１９】
第４の発明に係る端末装置は、第１〜３のいずれかの発明の構成に加えて、受信手段は、携帯端末から音声信号を受信するための手段を含む。取得手段は、スピーカから出力される第１のチャネルの音声と異なる第２のチャネルの音声を取得するための音声取得手段を含む。実行手段は、音声を出力する処理を実行するための手段を含む。制御手段は、第２のチャネルの音声を出力するように、音声出力手段を制御するための手段を含む。
【００２０】
第４の発明によると、端末装置は、スピーカから音声を出力する機能を有する携帯端末に接続され、その機能を補助する。すなわち端末装置が携帯端末に接続されている場合、所定の条件を満足すると、この携帯端末はステレオ音声のうち第１のチャネル（たとえば右チャネル）の音声をスピーカから出力する。端末装置の受信手段が携帯端末から音声を受信すると、取得手段は、第１のチャネルの音声と異なる第２のチャネル（左チャネル）の音声を取得する。制御手段は、第２のチャネルの音声を出力するように、音声の出力処理を実行する音声出力手段を制御する。その結果、第１のチャネルの音声が携帯端末から出力され、第２のチャネルの音声が端末装置から出力されるため、全体としてステレオ音声を出力することが可能になる。
【００２１】
第５の発明に係る端末装置は、第４の発明の構成に加えて、音声取得手段は、デジタルオーディオ信号に含まれるデータに基づいて、第２のチャネルの音声を取得するための手段を含む。
【００２２】
第５の発明によると、携帯端末が出力する音声信号はデジタルオーディオ信号である。音声取得手段は、デジタルオーディオ信号に含まれるデータ（たとえば、携帯端末にて出力されている音声のチャネルを表わすデータ）に基づいて第２のチャネルの音声を取得する。これにより、ステレオ音声を受信しても、携帯端末にて出力されている音声のチャネルと異なる音声のチャネルを出力することができる。
【００２３】
第６の発明に係る端末装置は、第１または第２の発明の構成に加えて、受信手段は、携帯端末による撮影が実行されるときに、撮影に関する信号を受信するための手段を含む。取得手段は、撮影に関する信号から、撮影に対応した発光指示の信号を取得するための手段を含む。実行手段は、発光する処理を実行するための発光手段を含む。制御手段は、発光指示の信号を受信すると発光する処理を実行するように、発光手段を制御するための手段を含む。
【００２４】
第６の発明によると、端末装置は、撮影機能を有する携帯端末に接続され、その撮影機能を補助する。利用者が被写体を撮影する場合、端末装置の受信手段が携帯端末からその撮影に関する信号を受信すると、取得手段はその信号から撮影に対応した発光指示の信号を取得する。制御手段は、取得された信号に基づいて発光手段に発光させる。たとえば発光タイミングを指示する信号がその信号に含まれると、発光手段はその発光タイミングに発光して、被写体の光量不足を補う。このようにして、端末装置は携帯端末が有する撮影機能を補助する。
【００２５】
【発明の実施の形態】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２６】
＜第１の実施の形態＞
図１に、本発明の第１の実施の形態に係るリモコン端末１００および携帯電話２００を示す。図１（Ａ）に示すように、リモコン端末１００は、接続ケーブル３００を介して携帯電話２００に接続され、フラッシュライト１４４を備える。携帯電話２００は、利用者がデータあるいは指示を入力するための入力ボタン２３４を備える。図１（Ｂ）に示すように、リモコン端末１００は、さらにスピーカ１４０を備える。なお、フラッシュライト１４４およびスピーカ１４０の位置は特に限定されない。
【００２７】
図２に、本実施の形態に係るリモコン端末１００の制御ブロック図を示す。図２に示すように、このリモコン端末１００は、相互にバスで接続されたＣＰＵ（Ｃｅｎｔｒａｌ  Ｐｒｏｃｅｓｓｉｎｇ  Ｕｎｉｔ）１１０と、液晶モニタ１３２と、入力ボタン１３４と、マイク１３８と、スピーカ１４０と、フラッシュライト１４４と、バッテリ１４６と、通信ＩＦ（Ｉｎｔｅｒｆａｃｅ）１５０と、ＬＥＤ（Ｌｉｇｈｔ  Ｅｍｉｔｔｉｎｇ  Ｄｉｏｄｅ）バックライト１５２と、ジャック１５４と、ＤＡ（Ｄｉｇｉｔａｌ  ｔｏ  Ａｎａｌｏｇ）変換回路１５６とを含む。
【００２８】
ＣＰＵ１１０は、通信制御部として、通信ＩＦ１５０を介して接続された外部装置（たとえば、携帯電話２００）との通信を制御する。この通信には、外部装置からの信号の受信、マイク１３８から入力された音声の外部装置への送信、あるいは、携帯電話２００への着信に基づいて行なわれるリモコン端末１００における通話などが含まれる。また、デジタル信号を受信した場合、ＤＡ変換回路１５６によりその信号をアナログ信号に変換する。
【００２９】
ＣＰＵ１１０は、ジャック検出部として、ジャック１５４に通信ケーブル（たとえば、イヤホン）が接続されているか否かを検出する。ＣＰＵ１１０は、出力制御部として、受信した音声信号を増幅してスピーカ１４０に出力する。
【００３０】
ＣＰＵ１１０は、発光制御部として、フラッシュライト１４４による発光を制御する。たとえば、通信ＩＦ１５０を介してフラッシュライト１４４を発光させる指示信号を受信すると、ＣＰＵ１１０はフラッシュライト１４４を発光させる。また、フラッシュライト１４４が一度発光すると、ＣＰＵ１１０は、次回の発光に備えて、フラッシュライト１４４に蓄電する。
【００３１】
ＣＰＵ１１０は、キー制御部として、入力ボタン１３４を介した利用者の指示を検出して制御信号を生成した後、通信ＩＦ１５０から携帯電話２００にその信号を送信する。これにより、利用者は、リモコン端末１００から指示を入力することにより、携帯電話２００を操作することができる。
【００３２】
ＣＰＵ１１０は、電源制御部として、バッテリ１４６による電源供給を制御する。たとえば、所定の時間、外部から信号が入力されない場合、ＣＰＵ１１０は、リモコン端末１００を省電力モードに設定して、電力の消費を抑制することができる。逆に、入力ボタン１３４に対する指示が検出されると、ＣＰＵ１１０は、リモコン端末１００を通常のモードに設定する。
【００３３】
さらに、ＣＰＵ１１０は、モノラル音声取得部として、受信したステレオ音声から特定のモノラル音声を取得する。たとえば、音声信号がデジタル信号である場合、デジタル信号に付加された制御信号に基づいて特定のチャネルのみを取得することができる。
【００３４】
図３に、本実施の形態に係るリモコン端末１００に接続される携帯電話２００の制御ブロック図を示す。図３に示すように、この携帯電話２００は、ＣＰＵ２１０と、モニタ２３２と、入力ボタン２３４と、メモリ２３６と、マイク２３８と、スピーカ２４０と、ＣＣＤ（Ｃｈａｒｇｅ  Ｃｏｕｐｌｅｄ  Ｄｅｖｉｃｅ）カメラ２４２と、内蔵フラッシュライト２４４と、バッテリ２４６と、アンテナ２４８と、通信ＩＦ２５０とを含む。通信ＩＦ２５０は、たとえばＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）であるが、これに限定されない。このように、携帯電話２００には、通常の電話機能に加えて、スピーカ２４０を使用する音声出力機能およびＣＣＤカメラ２４２による撮影機能を有する。
【００３５】
ＣＰＵ２１０は、通信制御部として、アンテナ２４８および通信ＩＦ２５０を介した通信を制御する。たとえば、ＣＰＵ２１０は、アンテナ２４８あるいは通信ＩＦ２５０から信号を受信すると、その信号をメモリ２３６に記憶する。あるいは、メモリ２３６に記憶されているデータが音声信号として再生されると、ＣＰＵ２１０は、アンテナ２４８あるいは通信ＩＦ２５０を介して、その信号を出力する。
【００３６】
ＣＰＵ２１０は、音声・音楽信号処理部として、音声信号あるいは音楽信号を処理する。この処理には、メモリ２３６に記憶されている信号を読み出して再生する処理、再生された信号をスピーカ１４０に出力する処理、アンテナ２４８あるいは通信ＩＦ２５０から入力された信号をメモリ２３６に書き込む処理、信号を消去する処理などが含まれる。ステレオ音声がメモリ２３６に記憶されている場合、ＣＰＵ２１０はさらに、予め定められた設定に基づいて特定のチャネルの音声の出力先を切り換える。たとえば、利用者の設定により、ＣＰＵ２１０は右チャネルの音声をスピーカ２４０に出力し、左チャネルの音声を通信ＩＦ２５０に出力する。
【００３７】
ＣＰＵ２１０は、出力制御部として、処理された音声信号あるいは音楽信号をスピーカ２４０に出力する。これにより、音声あるいは音楽がスピーカ２４０から出力される。なお、音声信号あるいは音楽信号はメモリ２３６に記憶されているデータに限定されず、アンテナ２４８あるいは通信ＩＦ２５０を介して受信した信号であってもよい。
【００３８】
ＣＰＵ２１０は、撮影制御部として、利用者の指示に基づいてＣＣＤカメラ２４２による撮影を制御する。すなわちモニタ２３２に撮影メニューを表示し、利用者による設定の入力を検出し、その設定に基づいて撮影のモードを切り換える。利用者による設定とは、フラッシュライトを使用しないという設定、内蔵フラッシュライト２４４を使用するという設定、あるいは、外部のフラッシュライトを使用するという設定等である。
【００３９】
ＣＰＵ２１０は、電源制御部として、バッテリ２４６の出力を制御する。たとえば、内蔵フラッシュライト２４４を使用するという設定が選択されると、所定の条件が成立したとき、内蔵フラッシュライト２４４は発光のための電気エネルギを蓄電する。
【００４０】
図４を参照して、本実施の形態に係る携帯電話２００（図３）にて実行されるプログラムの制御構造を、フローチャートに基づいて説明する。
【００４１】
ステップ（以下「ステップ」をＳと略す。）１０２にて、携帯電話２００のＣＰＵ２１０は、利用者が電源をＯＮにしたことを検知する。
【００４２】
Ｓ１０４にて、ＣＰＵ２１０は、モニタ２３２にファンクションメニューを表示する。ファンクションメニューとは、携帯電話２００が備える機能の一覧である。利用者は、そのメニューの中から携帯電話２００に実行させたい機能を選択することができる。
【００４３】
Ｓ１０６にて、ＣＰＵ２１０は、音声出力先設定メニューを表示する。携帯電話２００が音声出力機能を備えている場合、このメニューが表示される。
【００４４】
Ｓ１０８にて、ＣＰＵ２１０は、利用者による設定を検出する。すなわち、Ｓ１０６にて表示されたメニューに対して入力された設定が検出される。この設定には、たとえばモノラル音声としてスピーカ２４０から出力するという設定、ステレオ音声として通信ＩＦ２５０に接続されるステレオヘッドフォン（図示しない）から出力するという設定、あるいは、ステレオ音声として、スピーカ２４０および外部スピーカ（図示しない）から出力するという設定等がある。
【００４５】
Ｓ１１０にて、ＣＰＵ２１０は、出力先はスピーカであるか否かを判断する。この判断は、Ｓ１０８にて検出された音声出力先の設定に基づいて行なわれる。出力先がスピーカであるとき（Ｓ１１０にてＹＥＳ）、処理はＳ１１２に移される。そうでないと（Ｓ１１０にてＮＯ）、処理はＳ１２０に移される。
【００４６】
Ｓ１１２にて、ＣＰＵ２１０は、メモリ２３６に記憶された音声データをステレオ音声として出力するか否かを判断する。この判断は、利用者による音声出力先の設定（Ｓ１０８）に基づいて行なわれる。ステレオ音声を出力するとき（Ｓ１１２にてＹＥＳ）、処理はＳ１１４に移される。そうでないとき（Ｓ１１２にてＮＯ）、処理はＳ１３０に移される。
【００４７】
Ｓ１１４にて、ＣＰＵ２１０は、外部スピーカが接続されているか否かを判断する。この判断は、たとえば通信ＩＦ２５０に接続ケーブルが接続されているか否かを検出することにより行なわれる。外部スピーカが接続されていると（Ｓ１１４にてＹＥＳ）、処理はＳ１１６に移される。そうでないと（Ｓ１１４にてＮＯ）、処理はＳ１４０に移される。
【００４８】
Ｓ１１６にて、ＣＰＵ２１０は、音声信号をスピーカ２４０および外部スピーカに出力する。すなわち、ステレオ音声から取得された右チャネルの信号および左チャネルの信号は、予め設定された出力先に（たとえば、右チャネルの音声信号はスピーカ２４０に、左チャネルの音声信号は通信ＩＦ２５０に）、それぞれ送信される。
【００４９】
Ｓ１２０にて、ＣＰＵ２１０は、メモリ２３６から読出した音声を通信ＩＦ２５０に接続されたイヤホンに出力する。Ｓ１３０にて、ＣＰＵ２１０は、メモリ２３６に記憶されている音声データをモノラル音声としてスピーカ２４０に出力する。その結果、ステレオ音声が記憶されていても、モノラル音声が出力される。
【００５０】
Ｓ１４０にて、ＣＰＵ２１０は、外部スピーカの接続要求を出力する。たとえば、通信ＩＦ２５０にスピーカを接続する旨を表わすメッセージが、モニタ２３２に表示される。
【００５１】
図５を参照して、本実施の形態に係るリモコン端末１００（図２）にて実行されるプログラムの制御構造を、フローチャートに基づいて説明する。
【００５２】
Ｓ２０２にて、リモコン端末１００のＣＰＵ１１０は、携帯電話２００が出力した音声信号をジャック１５４を介して受信する。
【００５３】
Ｓ２０４にて、ＣＰＵ１１０は、携帯電話２００のスピーカ２４０にて出力されている音声のチャネルを検出する。たとえば受信したステレオ音声に音声のチャネルを表わすチャネル信号（Ｒ−ｃｈあるいはＬ−ｃｈ）が付与されている場合、そのチャネル信号が検出される。また、受信した音声信号がモノラル音声信号である場合、チャネルはモノラル音声のチャネルとして検出される。
【００５４】
Ｓ２０６にて、ＣＰＵ１１０は、ステレオ音声を受信しているか否かを判断する。この判断は、Ｓ２０４にて検出された音声のチャネルに基づいて行なわれる。たとえば、Ｒ−ｃｈおよびＬ−ｃｈが検出されるとステレオ音声を受信していると判断され、１つの音声のチャネルが検出されるとモノラル音声を受信していると判断される。ステレオ音声を受信すると（Ｓ２０６にてＹＥＳ）、処理はＳ２０８に移される。もしそうでないと（Ｓ２０６にてＮＯ）、処理はＳ２１８に移される。
【００５５】
Ｓ２０８にて、ＣＰＵ１１０は、携帯電話２００が、Ｒ−ｃｈの音声を出力しているか否かを判断する。この判断は、Ｓ２０４にて検出された音声のチャネルに基づいて行なわれる。Ｒ−ｃｈの音声が出力されていると判断すると（Ｓ２０８にてＹＥＳ）、処理はＳ２１０に移される。そうでないと（Ｓ２０８にてＮＯ）、処理はＳ２１４に移される。
【００５６】
Ｓ２１０にて、ＣＰＵ１１０は、受信したステレオ音声からＬ−ｃｈの音声を取得する。Ｓ２１２にて、ＣＰＵ１１０は、Ｌ−ｃｈの音声をスピーカ１４０に出力する。
【００５７】
Ｓ２１４にて、ＣＰＵ１１０は、受信したステレオ音声から、Ｒ−ｃｈの音声を取得する。Ｓ２１６にて、ＣＰＵ１１０は、Ｒ−ｃｈの音声をスピーカ１４０に出力する。Ｓ２１８にて、ＣＰＵ１１０は、受信したモノラル音声をスピーカ１４０に出力する。
【００５８】
以上のような構造およびフローチャートに基づく本実施の形態に係るリモコン端末１００を実現するＣＰＵ１１０の動作を説明する。携帯電話２００が右チャネルの音声を出力し、外部スピーカが左チャネルの音声を出力するという設定が選択されている場合において、ステレオ音声がリモコン端末１００に出力される場合と、モノラル音声（左チャネルの音声）がリモコン端末１００に出力される場合とを説明する。
【００５９】
［ステレオ音声がリモコン端末１００に出力される場合］
携帯電話２００がステレオ音声を通信ＩＦ２５０に出力すると（Ｓ１１６）、リモコン端末１００は、通信ＩＦ１５０を介して、その音声を受信する（Ｓ２０２）。ＣＰＵ１１０が、受信している音声はステレオ音声であると判断し（Ｓ２０６にてＹＥＳ）、さらに、携帯電話２００にてＲ−ｃｈの音声が出力されていると判断すると（Ｓ２０８にてＹＥＳ）、ＣＰＵ１１０はステレオ音声からＬ−ｃｈの信号を取得する（Ｓ２１０）。これにより、Ｌ−ｃｈの音声がスピーカ１４０から出力される（Ｓ２１２）。
【００６０】
その結果、携帯電話２００がステレオ音声をリモコン端末１００に出力すると、リモコン端末１００のスピーカ１４０は、携帯電話２００のスピーカ２４０から出力される音声（Ｒ−ｃｈ）と異なる音声（Ｌ−ｃｈ）を出力するため、メモリ２３６に記憶された音声データは、ステレオ音声として出力される。
【００６１】
［モノラル音声がリモコン端末１００に出力される場合］
以下、携帯電話２００がモノラル音声をリモコン端末１００に送信する場合について、ＣＰＵ１１０の動作を説明する。なお、上述の動作と同じ動作は、ここでは繰り返さない。
【００６２】
携帯電話２００の利用者が、音声の出力先をスピーカに設定し（Ｓ１１０にてＹＥＳ）、ステレオ音声の出力を選択した場合（Ｓ１１２にてＹＥＳ）、リモコン端末１００が接続されていると（Ｓ１１４にてＹＥＳ）、メモリ２３６に記憶されている音声のうちＲ−ｃｈの音声が携帯電話のスピーカ２４０から出力される。さらにこのとき、Ｌ−ｃｈの音声がリモコン端末１００に送信される（Ｓ１１６）。
【００６３】
リモコン端末１００が携帯電話２００からＬ−ｃｈの音声を受信すると（Ｓ２０２）、ＣＰＵ１５０は、スピーカ１４０にその音声を出力させる（Ｓ２１８）。
【００６４】
これにより、携帯電話２００のスピーカ２４０からＲ−ｃｈの音声が出力され、リモコン端末１００のスピーカ１４０からＬ−ｃｈの音声が出力されるため、メモリ２３６に記憶された音声信号を、ステレオ音声として出力することができる。
【００６５】
＜第１の実施の形態の変形例＞
以下、本発明の第１の実施の形態の変形例について説明する。上述の第１の実施の形態においては、携帯電話２００からリモコン端末１００に出力される音声信号の形式は特に限定されないが、以下のようにデジタルオーディオ信号が出力される場合も、リモコン端末１００は同様にスピーカ１４０からモノラル音声を出力することができる。
【００６６】
図６を参照して、本変形例に係るデジタルオーディオ信号のデータ構造を説明する。図６に示すように、このデジタルオーディオ信号は１９２のフレーム（フレーム０〜フレーム１９１）から構成される。各フレームは、２つのサブフレームから構成される。各サブフレームは、データが格納されるフィールド（以下、「フィールド」をＦと表わす。）を２つ含む。
【００６７】
Ｆ１０２、Ｆ１０６およびＦ１１０には、制御信号が格納される。すなわち、Ｆ１０２には、Ｌ−ｃｈのブロックの先頭であることを表わすコード「Ｂ」が格納される。Ｆ１０６には、Ｒ−ｃｈのブロックであることを表わすコード「Ｗ」が格納される。Ｆ１１０には、Ｌ−ｃｈのブロックの先頭以外であることを表わすコード「Ｍ」が格納される。
【００６８】
Ｆ１０４には、Ｌ−ｃｈのオーディオデータが格納される。Ｆ１０８には、Ｒ−ｃｈのオーディオデータが格納される。
【００６９】
リモコン端末１００は、このようなデジタルオーディオ信号を受信した場合、制御信号に基づいて出力すべきチャネルの音声信号を取得することにより、スピーカ１４０からいずれかのチャネルの音声を出力することができる。
【００７０】
＜第２の実施の形態＞
以下、本発明の第２の実施の形態に係るリモコン端末について説明する。なお、本実施の形態に係るリモコン端末および携帯電話は、前述の第１の実施の形態に係るリモコン端末１００および携帯電話２００と同じハードウェア構成を有する。したがって、それらについての詳細な説明は繰り返さない。
【００７１】
図７を参照して、本実施の形態に係る携帯電話２００にて実行されるプログラムの制御構造を、フローチャートに基づいて説明する。
【００７２】
Ｓ３０２にて、ＣＰＵ２１０は、撮影メニューをモニタ２３２に表示する。この撮影メニューには、たとえばフラッシュライトを使用するか否かの設定、使用するフラッシュライトは内蔵フラッシュライト２４４であるか外部フラッシュライトであるかの設定等が含まれる。
【００７３】
Ｓ３０４にて、ＣＰＵ２１０は、「フラッシュライトの設定」が選択されたか否かを判断する。この判断は、たとえば利用者が「フラッシュライトの設定」というメニューを選択したか否かに基づいて行なわれる。「フラッシュライトの設定」が選択されると（Ｓ３０４にてＹＥＳ）、処理はＳ３０６に移される。そうでないと（Ｓ３０４にてＮＯ）、処理はＳ３２４に移される。
【００７４】
Ｓ３０６にて、ＣＰＵ２１０は、利用者がフラッシュライトを使用して撮影するか否かを判断する。この判断は、たとえば利用者が「フラッシュライトをオン」という設定を選択したか否かを検出することにより行なわれる。フラッシュライトが使用されるとき（Ｓ３０６にてＹＥＳ）、処理はＳ３０８に移される。そうでないと（Ｓ３０６にてＮＯ）、処理はＳ３２４に移される。
【００７５】
Ｓ３０８にて、ＣＰＵ２１０は、利用者はリモコン端末のフラッシュライトを使用するか否かを判断する。この判断は、たとえば利用者が設定メニューにおいて「外部のフラッシュライトを使用」という設定を選択したか否かを検出することにより行なわれる。リモコン端末のフラッシュライトが使用されるとき（Ｓ３０８にてＹＥＳ）、処理はＳ３１０に移される。そうでないとき（Ｓ３０８にてＮＯ）、処理はＳ３２０に移される。
【００７６】
Ｓ３１０にて、ＣＰＵ２１０は、リモコン端末が接続されているか否かを判断する。この判断は、たとえば通信ＩＦ２５０における信号の状態を検出することにより行なわれる。リモコン端末が接続されているとき（Ｓ３１０にてＹＥＳ）、処理はＳ３１２に移される。そうでないとき（Ｓ３１０にてＮＯ）、処理はＳ３１８に移される。
【００７７】
Ｓ３１２にて、ＣＰＵ２１０は、利用者が撮影ボタンを押下したことを検知する。Ｓ３１４にて、ＣＰＵ２１０は、検知された撮影ボタンの押下に対応して、フラッシュライト発光の指示信号をリモコン端末１００に出力する。
【００７８】
Ｓ３１８にて、ＣＰＵ２１０は、リモコン端末１００を通信ＩＦ２５０に接続することを要求するメッセージを出力して、モニタ２３２に表示させる。
【００７９】
Ｓ３２０にて、ＣＰＵ２１０は、利用者が撮影ボタンを押下したことを検知する。Ｓ３２２にて、ＣＰＵ２１０は、撮影ボタンの押下のタイミングに合わせて、内蔵フラッシュライト２４４の発光指示を出力する。これにより、内蔵フラッシュライト２４４はＣＣＤカメラ２４２の撮影タイミングに対応して発光する。
【００８０】
Ｓ３２４にて、ＣＰＵ２１０は、利用者が撮影ボタンを押下したことを検知する。
【００８１】
Ｓ３３０にて、ＣＰＵ２１０は、ＣＣＤカメラ２４２を操作して被写体を撮影する。フラッシュライト発光の指示信号が出力されている場合（Ｓ３１４またはＳ３２２）、撮影と発光は同期して行なわれる。フラッシュライトを使用しない場合（Ｓ３２４）、撮影ボタンの押下に対応して、撮影が実行される。
【００８２】
図８を参照して、本実施の形態に係るリモコン端末１００にて実行されるプログラムの制御構造を、フローチャートに基づいて説明する。
【００８３】
Ｓ４０２にて、リモコン端末１００のＣＰＵ１１０は、利用者が電源をＯＮにしたことを検知する。Ｓ４０４にて、ＣＰＵ１１０は、フラッシュライト１４４に蓄電させる。
【００８４】
Ｓ４０６にて、ＣＰＵ１１０は、フラッシュライト１４４の蓄電が完了したか否かを判断する。蓄電が完了しているとき（Ｓ４０６にてＹＥＳ）、処理はＳ４０８に移される。そうでないと（Ｓ４０６にてＮＯ）、処理はＳ４０４に移される。
【００８５】
Ｓ４０８にて、ＣＰＵ１１０は、フラッシュライト１４４を発光する指示信号を検出したか否かを判断する。その指示信号を検出すると（Ｓ４０８にてＹＥＳ）、処理はＳ４１０に移される。そうでないと（Ｓ４０８にてＮＯ）、処理はＳ４１４に移される。
【００８６】
Ｓ４１０にて、ＣＰＵ１１０は、フラッシュライト１４４を発光させる。Ｓ４１２にて、ＣＰＵ１１０は、予め定められた時間待機する。このときＣＰＵ１１０は、バッテリ１４６の電力消費を抑制するために、液晶モニタ１３２、ＬＥＤバックライト１５２の表示を低電力モードの表示に切り換える。
【００８７】
Ｓ４１４にて、ＣＰＵ１１０は、利用者が電源をＯＦＦにしたか否かを判断する。利用者が電源をＯＦＦにすると（Ｓ４１４にてＹＥＳ）、処理は終了する。そうでないと（Ｓ４１４にてＮＯ）、処理はＳ４０４に移される。
【００８８】
以上のような構造およびフローチャートに基づく本実施の形態に係るリモコン端末１００を実現するＣＰＵ１１０の動作を説明する。
【００８９】
携帯電話２００の利用者がフラッシュライトの設定メニューを選択し（Ｓ３０４にてＹＥＳ）、外部のフラッシュライトを使用する設定を選択すると（Ｓ３０８にてＹＥＳ）、リモコン端末１００が接続されている場合（Ｓ３１０にてＹＥＳ）、撮影ボタンが押下される（Ｓ３１２）。この押下により、フラッシュライト１４４を発光する指示信号が携帯電話２００からリモコン端末１００に出力される（Ｓ３１４）。
【００９０】
リモコン端末１００の電源がＯＮの状態であるとき（Ｓ４０２）、ＣＰＵ１１０はフラッシュライト１４４に蓄電させる（Ｓ４０４）。蓄電が完了している場合（Ｓ４０６にてＹＥＳ）、フラッシュライト１４４を発光する指示信号が検出されると（Ｓ４０８にてＹＥＳ）、ＣＰＵ１１０は、フラッシュライト１４４を発光させる（Ｓ４１０）。その後、利用者が電源をＯＦＦにすると（Ｓ４１４にてＹＥＳ）、処理は終了する。
【００９１】
これにより、本実施の形態に係るリモコン端末１００によると、撮影機能を有する携帯電話２００から発光指示を含む信号を受信すると、リモコン端末１００のフラッシュライト１４４が携帯電話２００による撮影に同期して発光する。その結果、携帯電話２００の撮影時における光量不足を補うことができる。
【００９２】
以上により、詳述した第１および第２の実施の形態に係るリモコン端末１００によると、携帯電話２００から受信した信号に基づいて、その携帯電話２００が有する機能を補助することができる。
【００９３】
すなわち、リモコン端末１００が携帯電話２００から音声信号を受信すると、リモコン端末１００は、携帯電話２００にて出力される音声のチャネルと異なる音声のチャネルを出力するため、全体としてステレオ音声が出力される。この場合、音声を出力する２つのスピーカは、携帯電話およびリモコン端末にそれぞれ備えられているため、配置を自由に設定することができる。したがって、２つのスピーカが携帯電話に備えられている場合に比べて、ステレオ音声の音響特性を向上させることができる。
【００９４】
また、フラッシュライトを発光させる指示信号を受信した場合、リモコン端末１００は、携帯電話２００による撮影に同期してフラッシュライト１４４を発光させる。この場合、リモコン端末１００と携帯電話２００とを接続する接続ケーブル３００の長さの範囲で、リモコン端末１００を発光に最適な位置に配置することができる。したがって、携帯電話２００にフラッシュライトが内蔵されている場合に比べて、適切な光量を供給することが可能になり、撮影の自由度を向上させることができる。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の形態に係るリモコン端末および携帯電話を表わす図である。
【図２】本発明の実施の形態に係るリモコン端末の制御ブロック図である。
【図３】本発明の実施の形態に係るリモコン端末に接続される携帯電話の制御ブロック図である。
【図４】本発明の第１の実施の形態に係る携帯電話にて実行されるプログラムの制御構造を表わすフローチャートである。
【図５】本発明の第１の実施の形態に係るリモコン端末にて実行されるプログラムの制御構造を表わすフローチャートである。
【図６】本発明の第１の実施の形態の変形例に係るデジタルオーディオ信号のデータ構造を表わす図である。
【図７】本発明の第２の実施の形態に係る携帯電話にて実行されるプログラムの制御構造を表わすフローチャートである。
【図８】本発明の第２の実施の形態に係るリモコン端末にて実行されるプログラムの制御構造を表わすフローチャートである。
【符号の説明】
１００  リモコン端末、２００  携帯電話、３００  接続ケーブル。
【図１】
2004165815.tif 000003
【図２】
2004165815.tif 000004
【図３】
2004165815.tif 000005
【図４】
2004165815.tif 000006
【図５】
2004165815.tif 000007
【図６】
2004165815.tif 000008
【図７】
2004165815.tif 000009
【図８】
2004165815.tif 000010